(57)【要約】      （修正有）【課題】基礎コンクリートと金属板の一体化、及び柱と垂木の一体化により、強度向上を図る建物の躯体構造を提供する。【解決手段】建物の躯体構造は、基礎コンクリート１に一方を設けるとともに長孔５（楕円形状として周面長さを確保する）を備える連結金具３と、連結金具の他方に穿設した連結用の孔６と、他方に設けた柱１０と、柱の長孔と孔６に差渡した連結具と、柱と屋根を連結する金属製の補強板と、補強板を固定する止め具と、で構成される。【選択図】図１
0003223746.tif 000002
【実用新案登録請求の範囲】
【請求項１】
基礎コンクリートに一方を設けた長孔を備える連結金具と、この連結金具の他方に穿設した連結用の孔と、前記他方に設けた柱と、この柱の長孔と前記孔に差渡した連結具と、前記柱と屋根を連結する金属製の補強板と、この補強板を固定する止め具と、で構成した建物の躯体構造。
【請求項２】
前記連結金具の、前記一方は、この連結金具の全長の２／３であり、また、前記他方は、前記全長の１／３であり、それぞれを、前記基礎コンクリートと、前記柱に、それぞれ設けることを特徴とする請求項１に記載の建物の躯体構造。
【請求項３】
前記補強板は、前記柱と、前記垂木に添った形状で、ブーメラン形態であることを特徴とする請求項１に記載の建物の躯体構造。
【請求項４】
前記長孔は、前記連結金具と、前記基礎コンクリートを繋ぎ止め、この連結金具と、この基礎コンクリートを強固に固定可能とする構成としたことを特徴とする請求項１に記載の建物の躯体構造。
【請求項５】
前記基礎コンクリートの上辺に、口金を囲譲する構成としたことを特徴とする請求項１に記載の建物の躯体構造。
【考案の詳細な説明】
【技術分野】
【０００１】
本考案は、建物の躯体構造に関する。
【背景技術】
【０００２】
従来、柱の連結構造として、特開２００６−１８３３３８号公報に記載の発明が挙げられる。この発明は、両木材の対向端部にスリットと、スリットを横断する軸孔を形成し、軸孔に対応する固定孔を設けた連結金具をスリットに嵌入し，軸孔と固定孔にボルト又はピン等の固定具を挿入する構造の改良に関し、地震等により連結構造部分に過大な荷重が作用した場合，連結金具と木材が相互に動き、固定具が剪断されたり微動しつつ孔から脱落したりする問題の解消であり、連結金具は、柱と柱、柱と梁、柱と土台（両者間）のそれぞれを連結する連結構造であって、両者間の接合端面に設けたスリットに、連結金具の端辺を差込み、かつ固定具で緊締固止する構造である。しかしながら、従来の課題解決には成らず、かつ地震等の緊急時において、目的達成にはならないと考えられる。
【０００３】
また、連結金具（接合金具）に改良したものとして、特開平１１−１４８１７５号公報の発明がある。即ち、第２接合部材と第１接合部材の組合せと、この第２接合部材と第１接合部材を受け入れる接合対向端部のスリットを複雑な形態とした構造であり、連結金具の強度向上と、接合対向端部の連結強度を図る。しかしながら、構造が複雑であり、かつコストが掛かると考えられる。
【特許文献１】特開２００６−１８３３３８号公報
【特許文献２】特開平１１−１４８１７５号公報
【考案の概要】
【考案が解決しようとする課題】
【０００４】
本考案は、従来の柱間の連結金具（接合金具）をさらに改良することにあって、基礎コンクリートと金属板の一体化、及び柱と垂木の一体化で、建物の躯体の強度向上を図る。即ち、本考案は、基礎コンクリートに一方を設けた長孔を備える連結金具の構造と、柱と屋根を連結する金属製の補強板と、を採用した建物の躯体構造である。
【課題を解決するための手段】
【０００５】
本考案は、基礎コンクリートと金属板の一体化、及び柱と垂木の一体化で、建物の躯体の強度向上を図るために、下記の構造を提案する。即ち、請求項１であって、「基礎コンクリートに一方を設けた長孔を備える連結金具と、連結金具の他方に穿設した連結用の孔と、他方に設けた柱と、柱の長孔と前記孔に差渡した連結具と、柱と垂木を連結する金属製の補強板と、補強板を固定する止め具と、でなる建物の躯体構造」である。
【考案の効果】
【０００６】
請求項１では、基礎コンクリートに一方を設けた長孔（楕円形状として周面長さを確保する）を備える連結金具と、この連結金具の他方に穿設した連結用の孔と、他方に設けた柱と、この柱の長孔と孔に差渡した連結具と、柱と屋根を連結する金属製の補強板と、この補強板を固定する止め具と、で構成した建物の躯体構造とする。
【０００７】
請求項２では、連結金具の、一方は、この連結金具の全長の２／３であり、また、他方は、全長の１／３であり、それぞれを、基礎コンクリートと、柱に、それぞれ設けることを特徴とする建物の躯体構造とする。
【０００８】
請求項３では、補強板は、柱と、垂木に添った形状で、ブーメラン形態であることを特徴とする建物の躯体構造とする。
【０００９】
請求項４では、長孔は、連結金具と、基礎コンクリートを繋ぎ止め、この連結金具と、この基礎コンクリートを強固に固定可能とする構成としたことを特徴とする建物の躯体構造とする。
【００１０】
請求項５では、基礎コンクリートの上辺に、口金を囲譲する構成としたことを特徴とする建物の躯体構造とする。
【図面の簡単な説明】
【００１１】
【図１】基礎コンクリートと柱の関係を説明する側面視した模式図
【図２−１】基礎コンクリートと柱の関係を説明する要部の模式図
【図２−２】図２−１の側面模式図
【図３】柱と屋根の関係を説明する側面視した模式図
【図４】柱と屋根の関係を説明する要部の模式図
【図５】図４の要部の拡大正面図
【図６】図４の要部の拡大側面図
【考案を実施するための形態】
【００１２】
先ず、図１〜図２−２を基に、基礎コンクリートと柱の関係を説明する。
【００１３】
１は基礎コンクリートで、その上辺１ａに口金２を捲装するように囲繞する構造であり、所謂、基礎コンクリート１の破損防止である。そして、この基礎コンクリート１には、板状の連結金具３が埋設、又はいこみ成形で設けられており、この連結金具３の一方３ａは、連結金具３の全長の略２／３とする。また、他方３ｂは、上辺１ａの上に露出する。この他方３ｂは、全長の略１／３とする。
【００１４】
この連結金具３の一方３ａには小判形の長孔５が設けられており、コンクリート１００との繋ぎ止めを図り、基礎コンクリート１との一体化の強化を図る。即ち、長孔５の周面長さを利用し、その目的達成を図る。長孔５は、図示のように三列形態とする。また、他方３ｂには、三列形態の連結用孔６を有する。そして、他方３ｂには図示のように柱１０が設けられるが、柱１０のカット溝１０００を差込み支持するとともに、連結具１１を柱１０の図示しない孔と、連結金具３の孔６に差入れて固定する。
【００１５】
尚、図中１２は外壁（外板）であり、それぞれの柱１０、１０間に取付ける。
【００１６】
次に、図３〜図６を基に、柱１０と屋根１５、例えば、垂木（野地板、屋根材、又は梁等を含む）の関係を説明する。
【００１７】
２０は金属製の補強板で、側面視してブーメラン形態をしており、柱１０と屋根１５（例えば、垂木）の間に止め具２１を介して固定される。そして、図５の如く、合掌形態で設けられる。
【００１８】
一例では、柱１０、及び／又は、梁１５００と垂木１５０１に止め具１６、１７で取付ける。また、図示しないが、柱１０等と垂木１５０１に止め具１６、１７で取付けることも有り得る。
【００１９】
そして、望ましくは、基礎コンクリート１と柱１０に連結金具３を、柱１０と屋根１５
に補強板２０を、それぞれ取付けることが、耐震構造として有効である。これらの取付け順序は、従来例に基づくが、限定されないことと、新築時に取付けることが理想であるが、限定されないこと、又は後付けでも可能であり（斫り、修理、その他の工事等である。その例も同じ）、何れの方法も可能できる。従って、地震国の我国には最適である。
【００２０】
以上は、本考案の一実施例である。この一実施例は、好ましい一例であり、前述した説明、添付した図面に限定されない。従って、考案の趣旨の範囲において構成の一部を変更する構造とか、同じ特徴と効果を達成できる構造、等は、本考案の範疇である。
【符号の説明】
【００２１】
１  基礎コンクリート
１００  コンクリート
１ａ  上辺
２  口金
３  連結金具
３ａ  一方
３ｂ  他方
５  長孔
６  孔
１０  柱
１０００  溝
１１  連結具
１２  外壁
１５  屋根
１５００  梁
１５０１  垂木
１６  止め具
１７  止め具
２０  補強板
２１  止め具
【図１】
0003223746.tif 000003
【図２−１】
0003223746.tif 000004
【図２−２】
0003223746.tif 000005
【図３】
0003223746.tif 000006
【図４】
0003223746.tif 000007
【図５】
0003223746.tif 000008
【図６】
0003223746.tif 000009
【手続補正書】
【提出日】令和1年8月28日(2019.8.28)
【手続補正１】
【補正対象書類名】実用新案登録請求の範囲
【補正対象項目名】全文
【補正方法】変更
【補正の内容】
【実用新案登録請求の範囲】
【請求項１】
連結金具の一方に長孔を設け、この長孔を基礎コンクリートに埋設し、この連結金具の他方に連結用の孔を穿設し、この連結金具の他方には柱を設け、この柱の孔と前記孔には差渡した連結具を設け、前記柱と屋根を連結する金属製の補強板を設け、この補強板を、前記柱と前記屋根にそれぞれ固定する止め具を設けることを特徴とする建物の躯体構造。
【請求項２】
前記連結金具の、前記一方は、この連結金具の全長の２／３であり、また、前記他方は、前記全長の１／３であり、それぞれを、前記基礎コンクリートと、前記柱に、それぞれ設けることを特徴とする請求項１に記載の建物の躯体構造。
【請求項３】
前記補強板は、前記柱と、前記屋根の垂木に添った形状で、ブーメラン形態であることを特徴とする請求項１に記載の建物の躯体構造。
【請求項４】
前記連結金具の長孔は、前記基礎コンクリート中のコンクリートとの繋ぎ止めを図り、この連結金具と、この基礎コンクリートを強固に固定可能とする構成としたことを特徴とする請求項１に記載の建物の躯体構造。
【請求項５】
前記基礎コンクリートの上辺に、口金を囲繞する構成としたことを特徴とする請求項１に記載の建物の躯体構造。
【手続補正２】
【補正対象書類名】図面
【補正対象項目名】図４
【補正方法】変更
【補正の内容】
【図４】
0003223746.tif 000010